(57)【要約】【課題】外部からの偏光が液晶層を介してカメラに入射される場合に、光の複屈折による悪影響をカメラ画像に及ぼすことを防止し得る液晶表示装置及びその製造方法を提供する。【解決手段】液晶表示装置（１Ａ）は、液晶パネル（１０Ａ）の一部をカメラ（３）の光が透過する。液晶パネル（１０Ａ）は、カメラ（３）の光が透過するカメラ光透過領域（Ｓ１）は液晶層（１４）が屈折率等方性となっていると共に、カメラ光透過領域（Ｓ１）を除くカメラ光非透過領域（Ｓ２）は液晶層（１４）が屈折率異方性となっている。【選択図】図１
2019184827.tif 000002
【特許請求の範囲】
【請求項１】
表示部の一部をカメラの光が透過する液晶表示装置において、
前記表示部は、前記カメラの光が透過するカメラ光透過領域は液晶層が屈折率等方性となっていると共に、前記カメラ光透過領域を除くカメラ光非透過領域は液晶層が屈折率異方性となっていることを特徴とする液晶表示装置。
【請求項２】
前記表示部における前記液晶層を挟んで対向する各基板には配向機能付与配向膜と配向機能未付与配向膜とが形成されていると共に、
前記カメラ光非透過領域は前記配向機能付与配向膜により前記液晶層の液晶分子を配向させる配向領域となっている一方、前記カメラ光透過領域は前記配向機能未付与配向膜により前記液晶分子を配向させない非配向領域となっていることを特徴とする請求項１に記載の液晶表示装置。
【請求項３】
前記表示部における前記液晶層を挟んで対向する各基板には、カメラ光非透過領域に配向機能付与配向膜が形成されている一方、前記カメラ光透過領域には配向膜自体が形成されていないことを特徴とする請求項１に記載の液晶表示装置。
【請求項４】
表示部の一部をカメラの光が透過する液晶表示装置の製造方法において、
前記表示部における前記カメラの光が透過するカメラ光透過領域の液晶層には屈折率等方性を持たせると共に、前記表示部における前記カメラ光透過領域を除くカメラ光非透過領域の液晶層には屈折率異方性を持たせることを特徴とする液晶表示装置の製造方法。
【請求項５】
前記表示部における前記液晶層を挟んで対向する各基板に配向機能付与配向膜と配向機能未付与配向膜とを形成すると共に、
前記カメラ光非透過領域は、前記配向機能付与配向膜により前記液晶層の液晶分子を配向させる配向領域とする一方、前記カメラ光透過領域は前記配向機能未付与配向膜により前記液晶分子を配向させない非配向領域とすることを特徴とする請求項４に記載の液晶表示装置の製造方法。
【請求項６】
前記配向機能付与配向膜を形成するときには、前記基板のそれぞれにおいて、前記配向機能未付与配向膜を形成した後、前記カメラ光透過領域を遮蔽板で覆いながら、前記配向機能未付与配向膜の上方から紫外光を照射することを特徴とする請求項５に記載の液晶表示装置の製造方法。
【請求項７】
前記表示部における前記液晶層を挟んで対向する各基板には、カメラ光非透過領域に配向機能付与配向膜を形成する一方、前記カメラ光透過領域には配向膜自体を形成しないことを特徴とする請求項４に記載の液晶表示装置の製造方法。
【発明の詳細な説明】
【技術分野】
【０００１】
本発明は、表示部の一部をカメラの光が透過する液晶表示装置及びその製造方法に関するものである。
【背景技術】
【０００２】
従来、表示パネル内の画素やカラーフィルタがない部分にカメラ用透過部を設けた液晶表示装置が知られている。
【０００３】
例えば特許文献１に開示されたディスプレイ装置では、ブラックマトリクスに光を透過する透過孔を形成すると共に、外部からの光を透過孔及び液晶層を通してカメラの内部に入射させるようになっている。
【０００４】
前記特許文献１に開示されたディスプレイ装置では、例えば、透過孔に基板と同一の屈折率を有す充填材を充填することにより、前記透過孔によって回折現象が発生することを防止している。
【先行技術文献】
【特許文献】
【０００５】
【特許文献１】特開２０１３−２０５８４０号公報（２０１３年１９月７日公開）
【発明の概要】
【発明が解決しようとする課題】
【０００６】
ところで、液晶層を介して光を入射させるカメラ内蔵表示パネルにおいては、カメラに入射してくる光が偏光成分をもったもの（例えば水面からの反射等）であった場合、カメラ用透過部の液晶層の複屈折により色付きや光遮断が起こるという問題を有している。
【０００７】
この原因は、カメラ用透過部の液晶層においてもアクティブエリアの画素がある部分と同じように配向処理が施されていることによって、液晶が同一方向に並べられた状態となっているからである。この結果、偏光成分をもった配向処理されて偏光成分を持った液晶を通過するときに不要な複屈折効果を有することになる。
【０００８】
しかしながら、前記特許文献１に開示されたディスプレイ装置では、外部からの偏光成分を持った光の複屈折によるカメラ画像への悪影響までは開示されていない。
【０００９】
本発明の一態様は、上記従来の問題点に鑑みなされたものであって、その目的は、外部からの偏光が液晶層を介してカメラに入射される場合に、光の複屈折による悪影響をカメラ画像に及ぼすことを防止し得る液晶表示装置及びその製造方法を提供することにある。
【課題を解決するための手段】
【００１０】
本発明の一態様における液晶表示装置は、上記の課題を解決するために、表示部の一部をカメラの光が透過する液晶表示装置において、
前記表示部は、前記カメラの光が透過するカメラ光透過領域は液晶層が屈折率等方性となっていると共に、前記カメラ光透過領域を除くカメラ光非透過領域は液晶層が屈折率異方性となっていることを特徴としている。
【００１１】
本発明の一態様における液晶表示装置の製造方法は、上記の課題を解決するために、表示部の一部をカメラの光が透過する液晶表示装置の製造方法において、前記表示部における前記カメラの光が透過するカメラ光透過領域の液晶層には屈折率等方性を持たせると共に、前記表示部における前記カメラ光透過領域を除くカメラ光非透過領域の液晶層には屈折率異方性を持たせることを特徴としている。
【発明の効果】
【００１２】
本発明の一態様によれば、外部からの偏光が液晶層を介してカメラに入射される場合に、光の複屈折による悪影響をカメラ画像に及ぼすことを防止し得る液晶表示装置及びその製造方法を提供するという効果を奏する。
【図面の簡単な説明】
【００１３】
【図１】本発明の実施形態１における液晶表示装置の構成を示す断面図である。
【図２】（ａ）は前記液晶表示装置における液晶パネルの構成を示す正面図であり、（ｂ）は前記液晶表示装置における液晶パネルの変形例の構成を示す正面図である。
【図３】前記液晶表示装置における、配向機能未付与配向膜を配向機能付与配向膜にするための光配向による配向機能付与処理を示す断面図である。
【図４】本発明の実施形態２における液晶表示装置の構成を示す断面図である。
【発明を実施するための形態】
【００１４】
〔実施の形態１〕
本発明の一実施形態について図１〜図３に基づいて説明すれば、以下のとおりである。
【００１５】
本実施の形態における液晶表示装置１Ａの構成について、図１及び図２の（ａ）（ｂ）に基づいて説明する。図１は本実施の形態における液晶表示装置１Ａの構成を示す断面図である。図２の（ａ）は、本実施の形態における液晶表示装置１Ａの液晶パネル１０Ａの構成を示す正面図である。図２の（ｂ）は、本実施の形態における液晶表示装置１Ａの液晶パネル１０Ａの変形例の構成を示す正面図である。
【００１６】
本実施の形態の液晶表示装置１Ａは、例えば、スマートフォン等の携帯端末からなっており、図２の（ａ）に示すように、表示部としての液晶パネル１０Ａの縁部に切り欠いた状態のカメラ配置部２を有している。尚、カメラ配置部２は、必ずしも液晶パネル１０Ａの縁部に切り欠いた状態で設けられる必要はなく、図２の（ｂ）に示すように、液晶パネル１０Ａの縁部に穴部を形成した状態で設けることも可能である。また、必要であれば、液晶パネル１０Ａの任意の位置に設けることが可能である。
【００１７】
ただし、本実施の形態のカメラ配置部２は、ガラスを切り欠いたり、ガラスに穴をあけたりして形成されているタイプではなく、カメラ配置部２にのみ画素電極、ブラックマトリクス、カラーフィルタ層及び配線等がない構造をとっている。これにより、カメラ配置部２は、１００％に近い透過率を有し、カメラによる撮影画像が阻害されないようになっている。
【００１８】
また、ガラスを切り欠いたり、ガラスに穴をあけたりする構造の場合は、パネルガラス同士の接着強度維持、又は液晶が漏れ出ることを防ぐために、ある程度のシール領域や強度維持のための所定の構造が必要になる。しかし、本実施の形態の場合は、ガラス形状には手を加えないため、カメラ配置部２の周囲に新たにシールや構造物を必要としない。このため、カメラ配置部２の外周に大きな額縁領域が発生せず、狭額縁のカメラ配置部２を効率的に置くことができる。また、本実施の形態では、シールで隔たれていないので、液晶層はアクティブエリア（表示部）のみならず、カメラ配置部２にも充填されている。
【００１９】
本実施の形態の液晶表示装置１Ａでは、具体的には、図１に示すように、表示部としての液晶パネル１０Ａは、カメラ配置部２におけるカメラ３の光が透過するカメラ光透過領域Ｓ１では、液晶層１４が屈折率等方性（リタデーションを持たせない）となっていると共に、カメラ光透過領域Ｓ１を除くカメラ光非透過領域Ｓ２は液晶層１４が屈折率異方性（リタデーションを持たせる）となっている。換言すれば、液晶層１４の液晶分子１４ａが非配向状態となっていると共に、カメラ光透過領域Ｓ１を除くカメラ光非透過領域Ｓ２は液晶層１４の液晶分子１４ａが配向状態となっている。
【００２０】
すなわち、液晶パネル１０Ａは、偏光板１１、ＴＦＴ（Thin Film Transistor：薄膜トランジスタ）基板１２、配向膜１３Ａ、液晶層１４、配向膜１５Ａ、カラーフィルタ基板１６及び偏光板１７を備えている。尚、カメラ３は、ＴＦＴ基板１２側に設けられており、カラーフィルタ基板１６−配向膜１５Ａ−液晶層１４-配向膜１３Ａ-ＴＦＴ基板１２を介して入射光を撮影する。また、液晶パネル１０Ａの表示を観察する観察者は、カメラ配置部２の穴部分の表示が欠落した表示画像を観察することになる。
【００２１】
偏光板１１・１７は、ＴＦＴ基板１２及びカラーフィルタ基板１６における液晶層１４との対向面とは反対側の面にそれぞれ設けられている。偏光板１１・１７は、偏光板１１・１７の透過軸が互いに直交するように配置される。
【００２２】
ＴＦＴ基板１２は、図示しないスイッチング素子としてＴＦＴ（薄膜トランジスタ）がアレイ状に設けられた基板である。
【００２３】
カラーフィルタ基板１６は、例えば、ガラス基板１６ａ上にフィルタ層１６ｂが設けられた構成を有している。フィルタ層１６ｂは、赤フィルタＲ、緑フィルタＧ、青フィルタＢ及びブラックマトリクスＢＬをアレイ状に有している。
【００２４】
液晶層１４は、互いに対向配置された一対のＴＦＴ基板１２とカラーフィルタ基板１６との間に挟持されており、液晶層１４には液晶分子１４ａが充填されている。
【００２５】
配向膜１３Ａ・１５Ａは、ＴＦＴ基板１２及びカラーフィルタ基板１６における液晶層１４側に設けられている。本実施の形態の液晶パネル１０Ａは、例えば、横電界駆動方式を用いた水平配向型の液晶パネルであり、所謂アクティブ領域であるカメラ光非透過領域Ｓ２の配向膜１３Ａ・１５Ａは、配向機能が付与されており、電界無印加時に液晶層１４の液晶分子１４ａをＴＦＴ基板１２及びカラーフィルタ基板１６に水平に、所定の一方向に配向させるようになっている。配向膜１３Ａ・１５Ａは、例えばポリイミド樹脂からなっており、最初の状態では、配向機能が付与されていない。そこで、例えばＡＦＦＳ（Advanced Fringe Field Switching）モードであれば、直交した偏光板１１・１７のいずれか一方の吸収軸と一致する方向に液晶分子１４ａを揃えて配向すべく、ラビング処理や光配向によって配向機能未付与の配向膜１３Ａ・１５Ａに対して配向機能付与処理を行う。これにより、配向機能付与配向膜１３Ａ・１５Ａとなる。
【００２６】
ところで、液晶パネル１０Ａの一部をカメラ３の光が透過する液晶表示装置１Ａにおいては、以下の問題がある。
【００２７】
すなわち、被写体から出射されてカメラ３に入射される光が偏光成分を全く持っていない場合及びカメラ３の光学系が偏光成分を全くもっていない場合は問題ないが、実際は完全にそうはならない。
【００２８】
一般には、カメラ３の光学系と言えども、僅かな複屈折があるものである。これは、例えば、レンズやプリズムで曲げることにより、屈折面での偏光が生じるものであるし、樹脂を用いた材料（コーティング含む）を透過してくる光に至っては、複屈折がないということ略ありえない。また、被写体からは、樹脂等を通して出てきた直接光はもちろんのこと、太陽光下の風景であっても例えば水面等の反射面から出てきた光は、偏光（偏波面）を持っている。
【００２９】
被写体からのこれらの光とレンズとの間に、液晶という大きな複屈折効果をもったものが間に入ることにより、液晶がない場合に得られるカメラ画像と、液晶を通して得られたカメラ画像とには、大きな違いが生じる場合がある。具体的には、本来得られているコントラストが得られず、一部が黒くつぶれてしまったり、本来無色のものが色付いたり、また、視認される光とは異なる色に色づいたり、ということが起こる。
【００３０】
本実施の形態の液晶表示装置１Ａのように、液晶パネル１０Ａとカメラ配置部２とがシールで隔たれてない構造では、液晶パネル１０Ａの切り欠きや穴あけのときには発生しなかったこれらの問題が、カメラ部分の狭額縁化と引き換えに発生していた。
【００３１】
一方、これらの問題は、液晶の複屈折効果により発生するものであるため、液晶を無配向にし、複屈折効果が生じない状態にしておくことによって、解消できる。
【００３２】
そこで、本実施の形態の液晶表示装置１Ａでは、液晶パネル１０Ａは、カメラ３の光が透過するカメラ光透過領域Ｓ１は液晶層１４が屈折率等方性となっている。一方、カメラ光透過領域Ｓ１を除くカメラ光非透過領域Ｓ２は液晶層１４が屈折率異方性となっている。これにより、カメラ３の光が透過するカメラ光透過領域Ｓ１は液晶層１４が屈折率等方性となっているので、カメラ光透過領域Ｓ１の液晶層１４においては複屈折の現象は発生しない。
【００３３】
一方、カメラ光透過領域Ｓ１を除くカメラ光非透過領域Ｓ２は液晶層１４が屈折率異方性となっているので、液晶層１４による屈折率異方性を利用した通常の表示を行うことができる。
【００３４】
したがって、外部からの偏光が液晶層１４を介してカメラ３に入射される場合に、光の複屈折による悪影響をカメラ画像に及ぼすことを防止し得る液晶表示装置１Ａ及びその製造方法を提供することができる。
【００３５】
ここで、カメラ光透過領域Ｓ１における液晶層１４を屈折率等方性となるようにする方法について、図３に基づいて説明する。図３は、配向機能未付与配向膜を配向機能付与配向膜にするための光配向による配向機能付与処理を示す断面図である。
【００３６】
本実施の形態の液晶表示装置１Ａの液晶パネル１０Ａには、最初の状態においては、ＴＦＴ基板１２及びカラーフィルタ基板１６における液晶層１４側に、配向機能未付与の配向膜１３Ａ・１５Ａが設けられている。これら配向機能未付与の配向膜１３Ａ・１５Ａは、ラビングや光配向によって配向機能が付与された配向膜１３Ａ・１５Ａとなる。
【００３７】
本実施の形態では、紫外光を配向機能未付与の配向膜１３Ａ・１５Ａの上方から照射する光配向を採用している。
【００３８】
具体的には、図３に示すように、液晶パネル１０Ａの製造工程のうち、ＴＦＴ基板１２とカラーフィルタ基板１６とを貼り合わせる前に、ガラス表面に塗布された配向機能未付与の配向膜１３Ａに対してその表面からＵＶ（Ultra Violet:紫外線）光源６にて偏光フィルタ５を介して紫外光Ｌを照射して行う。ここで、本実施の形態では、光照射に際しては、カメラ光透過領域Ｓ１を遮蔽板としてのフォトマスク４で覆いながら紫外光Ｌを照射する。
【００３９】
これにより、カメラ光非透過領域Ｓ２については、配向機能未付与の配向膜１３Ａに対して配向機能を付与する処理が行われるが、カメラ光透過領域Ｓ１については、配向機能未付与の配向膜１３Ａに対して配向機能を付与する処理が行われない。
【００４０】
尚、図３は、カラーフィルタ基板１６側の配向機能未付与の配向膜１５Ａに対して配向機能付与処理を行う状態を示している。したがって、ＴＦＴ基板１２の配向機能未付与の配向膜１３Ａに対しても、同様の配向機能付与処理が行われる。
【００４１】
その後、配向機能が付与された配向膜１３Ａを有するＴＦＴ基板１２と配向機能が付与された配向膜１５Ａを有するカラーフィルタ基板１６とに対して、シール材を塗布し、液晶を滴下してからＴＦＴ基板１２及びカラーフィルタ基板１６を貼り合わせる。これにより、ＴＦＴ基板１２とカラーフィルタ基板１６との間に液晶分子１４ａが封入され、液晶層１４の液晶分子１４ａが配向された状態となる。
【００４２】
このように、本実施の形態における液晶表示装置１Ａは、表示部としての液晶パネル１０Ａの一部をカメラ３の光が透過する。そして、液晶パネル１０Ａは、カメラ３の光が透過するカメラ光透過領域Ｓ１は液晶層１４が屈折率等方性となっていると共に、カメラ光透過領域Ｓ１を除くカメラ光非透過領域Ｓ２は液晶層１４が屈折率異方性となっている。
【００４３】
また、本実施の形態における液晶表示装置１Ａの製造方法は、液晶パネル１０Ａの一部をカメラ３の光が透過する液晶表示装置１Ａの製造方法である。そして、液晶パネル１０Ａにおけるカメラ３の光が透過するカメラ光透過領域Ｓ１の液晶層１４には屈折率等方性を持たせると共に、液晶パネル１０Ａにおけるカメラ光透過領域Ｓ１を除くカメラ光非透過領域Ｓ２の液晶層１４には屈折率異方性を持たせる。
【００４４】
これにより、カメラ３の光が透過するカメラ光透過領域Ｓ１においては液晶層１４が屈折率等方性となっているので、カメラ光透過領域Ｓ１の液晶層１４に複屈折の現象は発生しない。
【００４５】
一方、カメラ光透過領域Ｓ１を除くカメラ光非透過領域Ｓ２は液晶層１４が屈折率異方性となっているので、液晶層１４による屈折率異方性を利用した通常の表示を行うことができる。
【００４６】
したがって、外部からの偏光が液晶層１４を介してカメラ３に入射される場合に、光の複屈折による悪影響をカメラ画像に及ぼすことを防止し得る液晶表示装置１Ａ及びその製造方法を提供することができる。
【００４７】
また、従来では、本実施の形態の液晶表示装置１Ａのように、液晶パネル１０Ａとカメラ配置部２とがシールで隔たれてない構造では、液晶パネル１０Ａの切り欠きや穴あけのときには発生しなかった複屈折による悪影響の問題が、カメラ部分の狭額縁化と引き換えに発生していた。しかし、本実施の形態の液晶表示装置１Ａの構成とすることにより、複屈折による悪影響の問題と、液晶パネル１０Ａの狭額縁化との両立を図ることができるものとなる。
【００４８】
また、本実施の形態における液晶表示装置１Ａは、液晶パネル１０Ａにおける液晶層１４を挟んで対向する各ＴＦＴ基板１２及びカラーフィルタ基板１６には配向機能が付与された配向膜１３Ａ・１５Ａと配向機能未付与の配向膜１３Ａ・１５Ａとが形成されている。そして、カメラ光非透過領域Ｓ２は配向機能が付与された配向膜１３Ａ・１５Ａにより液晶層１４の液晶分子１４ａを配向させる配向領域となっている一方、カメラ光透過領域Ｓ１は配向機能未付与の配向膜１３Ａ・１５Ａにより液晶分子１４ａを配向させない非配向領域となっている。
【００４９】
また、本実施の形態における液晶表示装置１Ａの製造方法は、液晶パネル１０Ａにおける液晶層１４を挟んで対向するＴＦＴ基板１２及びカラーフィルタ基板１６に配向機能が付与された配向膜１３Ａ・１５Ａと配向機能未付与の配向膜１３Ａ・１５Ａとを形成する。そして、カメラ光透過領域Ｓ１は、配向機能が付与された配向膜１３Ａ・１５Ａにより液晶層１４の液晶分子１４ａを配向させる配向領域とする一方、カメラ光透過領域Ｓ１は配向機能未付与の配向膜１３Ａ・１５Ａにより液晶分子１４ａを配向させない非配向領域とする。
【００５０】
このため、カメラ光非透過領域Ｓ２は、配向機能が付与された配向膜１３Ａ・１５Ａが存在するので、液晶分子１４ａが配向され、液晶層１４が屈折率異方性となっている。この結果、カメラ光非透過領域Ｓ２では、液晶層１４による屈折率異方性を利用した通常の表示を行うことができる。
【００５１】
一方、カメラ光透過領域Ｓ１は、配向機能未付与の配向膜１３Ａ・１５Ａが存在するので、液晶分子１４ａを配向させない非配向領域となっている。この結果、カメラ光透過領域Ｓ１では、液晶層１４が屈折率等方性となっているので、外部からの偏光が液晶層１４に入射されても、カメラ光透過領域Ｓ１の液晶層１４に複屈折の現象は発生しない。
【００５２】
したがって、ＴＦＴ基板１２及びカラーフィルタ基板１６に配向膜１３Ａ・１５Ａが形成されている場合において、外部からの偏光が液晶層１４を介してカメラ３に入射される場合に、光の複屈折による悪影響をカメラ画像に及ぼすことを防止し得る液晶表示装置１Ａ及びその製造方法を提供することができる。
【００５３】
また、本実施の形態における液晶表示装置１Ａの製造方法は、配向機能が付与された配向膜１３Ａ・１５Ａを形成するときには、ＴＦＴ基板１２及びカラーフィルタ基板１６のそれぞれにおいて、配向機能未付与の配向膜１３Ａ・１５Ａを形成した後、カメラ光透過領域Ｓ１を遮蔽板としてのフォトマスク４で覆いながら、配向機能未付与の配向膜１３Ａ・１５Ａの上方から紫外光Ｌを照射する。
【００５４】
この結果、カメラ光透過領域Ｓ１については、配向機能未付与の配向膜１３Ａ・１５Ａに対して配向機能を付与する処理が行われない。したがって、簡単な方法で、カメラ光透過領域Ｓ１の液晶層１４の液晶分子は配向せず、カメラ光透過領域Ｓ１を除くカメラ光非透過領域Ｓ２の液晶層１４の液晶分子１４ａは配向させることができる。
【００５５】
〔実施の形態２〕
本発明の他の実施の形態について図４に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００５６】
本実施の形態の液晶表示装置１Ｂは、図４に示すように、前記実施の形態１の液晶表示装置１Ａの構成に代えて、液晶パネル１０Ｂのカメラ光透過領域Ｓ１には、配向膜１３Ｂ・１５Ｂが存在しない点が異なっている。
【００５７】
本実施の形態における液晶表示装置１Ｂの構成について、図４に基づいて説明する。図４は、本実施の形態における液晶表示装置１Ｂの構成を示す断面図である。
【００５８】
本実施の形態における液晶表示装置１Ｂの液晶パネル１０Ｂは、図４に示すように、ＴＦＴ基板１２及びカラーフィルタ基板１６において、カメラ光非透過領域Ｓ２には配向膜１３Ｂ・１５Ｂが存在しているが、カメラ光透過領域Ｓ１には配向膜１３Ｂ・１５Ｂが存在していない。
【００５９】
すなわち、カメラ３の光が透過するカメラ光透過領域Ｓ１は液晶層１４が屈折率等方性となっていると共に、カメラ光透過領域Ｓ１を除くカメラ光非透過領域Ｓ２は液晶層１４が屈折率異方性となっているようにするために、実施の形態１とは異なる方法として、以下の方法を採用することが可能である。
【００６０】
具体的には、液晶表示装置１Ｂ及びその製造方法は、液晶パネル１０Ｂにおける液晶層１４を挟んで対向するＴＦＴ基板１２及びカラーフィルタ基板１６には、カメラ光非透過領域Ｓ２に配向機能が付与された配向膜１３Ｂ・１５Ｂが形成されている一方、カメラ光透過領域Ｓ１には配向膜１３Ｂ・１５Ｂ自体が形成されていないとすることができる。
【００６１】
液晶表示装置１Ｂの製造においては、配向膜１３Ｂ・１５Ｂを印刷するときに、ＴＦＴ基板１２及びカラーフィルタ基板１６におけるカメラ光透過領域Ｓ１には、配向機能未付与の配向膜１３Ｂ・１５Ｂを塗布しないようにする。
【００６２】
これにより、ＴＦＴ基板１２及びカラーフィルタ基板１６の上方から例えば紫外光Ｌを照射して配向機能未付与の配向膜１３Ｂ・１５Ｂに対して配向機能の付与処理をしても、カメラ光透過領域Ｓ１には配向膜１３Ｂ・１５Ｂ自体が形成されていないので、カメラ光透過領域Ｓ１の液晶層１４は一方向に配向されず、ランダムな配置となる。
【００６３】
この結果、光配向において、実施の形態１のように、フォトマスク４でカメラ光透過領域Ｓ１を遮蔽するようなことをしなくても、カメラ光透過領域Ｓ１のみに対して液晶分子１４ａが配向されないとすることができる。したがって、配向処理工程の作業を単純化することができる。
【００６４】
〔まとめ〕
本発明の態様１における液晶表示装置１Ａ・１Ｂは、表示部（液晶パネル１０Ａ・１０Ｂ）の一部をカメラ３の光が透過する液晶表示装置において、前記表示部（液晶パネル１０Ａ・１０Ｂ）は、前記カメラ３の光が透過するカメラ光透過領域Ｓ１は液晶層１４が屈折率等方性となっていると共に、前記カメラ光透過領域Ｓ１を除くカメラ光非透過領域Ｓ２は液晶層１４が屈折率異方性となっていることを特徴としている。
【００６５】
本発明の態様４における液晶表示装置１Ａ・１Ｂの製造方法は、表示部（液晶パネル１０Ａ・１０Ｂ）の一部をカメラ３の光が透過する液晶表示装置の製法において、前記表示部（液晶パネル１０Ａ・１０Ｂ）における前記カメラ３の光が透過するカメラ光透過領域Ｓ１の液晶層１４には屈折率等方性を持たせると共に、前記表示部（液晶パネル１０Ａ・１０Ｂ）における前記カメラ光透過領域Ｓ１を除くカメラ光非透過領域Ｓ２の液晶層１４には屈折率異方性を持たせることを特徴としている。
【００６６】
表示部の一部をカメラの光が透過する液晶表示装置においては、カメラに入射してくる光が、例えば水面からの反射光のように偏光成分を持っている場合には、液晶層が屈折率異方性を持っているので、カメラ光透過領域の液晶層により複屈折の現象が発生する。この結果、カメラ画像が例えば色付、光遮断又は２重になる等の不具合が生じる。
【００６７】
そこで、本発明の一態様では、表示部は、カメラの光が透過するカメラ光透過領域は液晶層が屈折率等方性となっていると共に、カメラ光透過領域を除くカメラ光非透過領域は液晶層が屈折率異方性となっている。これにより、カメラの光が透過するカメラ光透過領域においては液晶層が屈折率等方性となっているので、カメラ光透過領域の液晶層に複屈折の現象は発生しない。
【００６８】
一方、カメラ光透過領域を除くカメラ光非透過領域は液晶層が屈折率異方性となっているので、液晶層による屈折率異方性を利用した通常の表示を行うことができる。
【００６９】
したがって、外部からの偏光が液晶層を介してカメラに入射される場合に、光の複屈折による悪影響をカメラ画像に及ぼすことを防止し得る液晶表示装置及びその製造方法を提供することができる。
【００７０】
本発明の態様２における液晶表示装置１Ａは、前記表示部（液晶パネル１０Ａ）における前記液晶層１４を挟んで対向する各基板（ＴＦＴ基板１２・カラーフィルタ基板１６）には配向機能付与配向膜（配向膜１３Ａ・１５Ａ）と配向機能未付与配向膜（配向膜１３Ａ・１５Ａ）とが形成されていると共に、前記カメラ光非透過領域Ｓ２は前記配向機能付与配向膜（配向膜１３Ａ・１５Ａ）により前記液晶層１４の液晶分子１４ａを配向させる配向領域となっている一方、前記カメラ光透過領域Ｓ１は前記配向機能未付与配向膜（配向膜１３Ａ・１５Ａ）により前記液晶分子１４ａを配向させない非配向領域となっているとすることができる。
【００７１】
本発明の態様５における液晶表示装置１Ａの製造方法は、前記表示部（液晶パネル１０Ａ）における前記液晶層１４を挟んで対向する各基板（ＴＦＴ基板１２・カラーフィルタ基板１６）に配向機能付与配向膜（配向膜１３Ａ・１５Ａ）と配向機能未付与配向膜（配向膜１３Ａ・１５Ａ）とを形成すると共に、前記カメラ光非透過領域Ｓ２は、前記配向機能付与配向膜（配向膜１３Ａ・１５Ａ）により前記液晶層１４の液晶分子１４ａを配向させる配向領域とする一方、前記カメラ光透過領域Ｓ１は前記配向機能未付与配向膜（配向膜１３Ａ・１５Ａ）により前記液晶分子１４ａを配向させない非配向領域とすることができる。
【００７２】
本発明の一態様においては、表示部における液晶層を挟んで対向する各基板には配向機能付与配向膜と配向機能未付与配向膜とが形成されている。そして、カメラ光非透過領域は、配向機能付与配向膜により液晶層の液晶分子を配向させる配向領域とする一方、カメラ光透過領域は配向機能未付与配向膜により液晶分子を配向させない非配向領域とする。
【００７３】
このため、カメラ光非透過領域は、配向機能付与配向膜が存在するので、液晶分子が配向され、液晶層が屈折率異方性となっている。この結果、カメラ光非透過領域では、液晶層による屈折率異方性を利用した通常の表示を行うことができる。
【００７４】
一方、カメラ光透過領域は、配向機能未付与配向膜が存在するので、液晶分子を配向させない非配向領域となっている。この結果、カメラ光透過領域では、液晶層が屈折率等方性となっているので、外部からの偏光が液晶層に入射されても、カメラ光透過領域の液晶層に複屈折の現象は発生しない。
【００７５】
したがって、各基板に配向膜が形成されている場合において、外部からの偏光が液晶層を介してカメラに入射される場合に、光の複屈折による悪影響をカメラ画像に及ぼすことを防止し得る液晶表示装置及びその製造方法を提供することができる。
【００７６】
本発明の態様６における液晶表示装置１Ａの製造方法は、前記配向機能付与配向膜（配向膜１３Ａ・１５Ａ）を形成するときには、前記基板（ＴＦＴ基板１２・カラーフィルタ基板１６）のそれぞれにおいて、前記配向機能未付与配向膜（配向膜１３Ａ・１５Ａ）を形成した後、前記カメラ光透過領域Ｓ１を遮蔽板（フォトマスク４）で覆いながら、前記配向機能未付与配向膜（配向膜１３Ａ・１５Ａ）の上方から紫外光を照射することが好ましい。
【００７７】
基板のそれぞれにおいては配向膜が形成されるが、配向膜は最初の状態では配向機能未付与配向膜となっている。このため、配向膜に配向機能を付与する処理が必要となる。そこで、本発明の一態様においては、光配向を行う。この場合、基板のそれぞれにおいて、配向機能未付与配向膜を形成した後、カメラ光透過領域を遮蔽板で覆いながら、配向機能未付与配向膜の上方から紫外光を照射する。この結果、カメラ光透過領域については、配向機能未付与配向膜に対して配向機能を付与する処理が行われない。
【００７８】
したがって、簡単な方法で、カメラ光透過領域の液晶層の液晶分子は配向せず、カメラ光透過領域を除くカメラ光非透過領域の液晶層の液晶分子は配向させることができる。
【００７９】
本発明の態様３における液晶表示装置１Ｂは、前記表示部（液晶パネル１０Ｂ）における前記液晶層１４を挟んで対向する各基板（ＴＦＴ基板１２・カラーフィルタ基板１６）には、カメラ光非透過領域Ｓ２に配向機能付与配向膜（配向膜１３Ｂ・１５Ｂ）が形成されている一方、前記カメラ光透過領域Ｓ１には配向膜（配向膜１３Ｂ・１５Ｂ）自体が形成されていないとすることができる。
【００８０】
本発明の態様７における液晶表示装置１Ｂの製造方法は、前記表示部（液晶パネル１０Ｂ）における前記液晶層１４を挟んで対向する各基板（ＴＦＴ基板１２・カラーフィルタ基板１６）には、カメラ光非透過領域Ｓ２に配向機能付与配向膜（配向膜１３Ｂ・１５Ｂ）を形成する一方、前記カメラ光透過領域Ｓ１には配向膜自体（配向膜１３Ｂ・１５Ｂ）を形成しないとすることができる。
【００８１】
これにより、基板の上方から例えば紫外光を照射して配向膜の配向機能の付与処理をしても、カメラ光透過領域には配向膜自体が形成されていないので、カメラ光透過領域の液晶層は配向されない。
【００８２】
この結果、光配向において、遮蔽板でカメラ光透過領域を遮蔽するようなことをしなくても、カメラ光透過領域のみに対して液晶分子が配向されないとすることができる。したがって、配向処理工程の作業を単純化することができる。
【００８３】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８４】
１Ａ・１Ｂ    液晶表示装置
２            カメラ配置部
３            カメラ
４            フォトマスク（遮蔽板）
５            偏光フィルタ
６            ＵＶ光源
１０Ａ・１０Ｂ  液晶パネル（表示部）
１１・１７      偏光板
１２            ＴＦＴ基板（基板）
１３Ａ・１３Ｂ  配向膜
１４            液晶層
１４ａ          液晶分子
１５Ａ・１５Ｂ  配向膜
１６            カラーフィルタ基板（基板）
１６ａ          ガラス基板
１６ｂ          フィルタ層
Ｓ１          カメラ光透過領域
Ｓ２          カメラ光非透過領域
【図１】
2019184827.tif 000003
【図２】
2019184827.tif 000004
【図３】
2019184827.tif 000005
【図４】
2019184827.tif 000006